(57)【要約】      （修正有）【課題】集会等の折、イスの座席の下に手荷物等の携帯品を収納できる収納棚を設け、その設置と格納を自在とし、手許での携帯品収納場所を確保する。【解決手段】イスの６座水平保持棒に二箇所、７前脚棒に二箇所、８後脚棒に二箇所の合計六箇所に１ａ後方覆い部と１ｂ棚部とで形成された１収納部に取り付けられた二個の５固定用保持具と四個の４スライド用保持具を咬合させて取り付け、その１収納部が四本の７・８前・脚棒を滑り降り、二本の６座水平保持棒から吊り下がり拡がることにより１ａ後方覆い部と１ｂ棚部を形成しイスの座面下空間に収納場所を確保し、且つ１ａ後方覆い部により後方を遮り後方よりの盗難を防止する。又、保管の折り、イスを積み重ねると下段イスの１０イス座面により上段イス座面下の１収納部の１ｂ棚部が押し上げられ、４スライド用保持具が上方に滑り上り、１ａ後方覆い部を巻き込んで１収納部を上下イス座面の間隙に格納する。【選択図】図２
0003123495.tif 000002
【実用新案登録請求の範囲】
【請求項１】
イスの座面下空間にバッグ等携帯品を収納する機能を持たせるため、柔面体を、その四方に連結されたスライド可能な保持具等と共に、自重他の力によりイス脚棒を上下にスライドせしめ、収納部の設置と格納を自在に行うことを特徴とするイス下収納棚。
【請求項２】
収納部は、例えば布や網の様な柔面体であればよく、イス座面後方より垂直方向に面を形成する後方覆い部と、その下部より連なって前方に水平な面を形成する棚部とで構成され、まず後方覆い部上辺両端に取り付けられた二個の固定用保持具を二本の座水平保持棒の後方二箇所に取り付け、自重で吊り下がることにより垂直面の後方覆い部が形成され、次いで棚部四方隅に連結された四個のスライド用保持具が各々四本の脚棒を挟み込むように取り付けられ、棚部らが自重で脚棒を滑り降り四方に張り拡げられることにより水平面の棚部を形成することを特徴とする請求項１記載のイス下収納棚。
【請求項３】
保管のためイスを積み重ねた際、下段イス座面上部により、上段イス下部にある棚部が上方に押し上げられ、その力により棚部とそれに連結されたスライド用保持具が連動して脚棒を滑り上がり、連なった後方覆い部を巻き込んでそれらが下段イス座面上部と上段イス座面裏部の間隙に格納されることを特徴とする請求項１記載のイス下収納棚。
【請求項４】
後方覆い部の上辺部、後方覆い部の下辺部と棚部の後辺部との連結部及び棚部の前辺部の三箇所には、幅方向にそれらの辺の長さを超える三本の張り強度保持棒が固定され、まず後方覆い部上辺部に固定された張り強度保持棒の両端に連結された二個の固定用保持具を二本の座水平保持棒後部に挟み込ませ固定し、次に後方覆い部と棚部との連結部に固定された張り強度保持棒、及び棚部前辺部に固定された張り強度保持棒の各々両端に連結された四個のスライド用保持具をそれぞれ四本の脚棒に挟み込ませることにより、上下方向へは棚部の自重で座水平保持棒との間で、又水平方向へは前・後脚棒により二本の張り強度保持棒が前後に引っ張られることにより、後方覆い部と棚部の柔面体の張り強度を持たせることを特徴とする請求項１記載のイス下収納棚。
【請求項５】
二個の固定用保持具、及び四個のスライド用保持具は開閉自在構造とし、座水平保持棒や脚棒への挟み込みや取り外しが可能となり、イスへの収納部の脱着が容易に出来ることを特徴とする請求項１記載のイス下収納棚。
【考案の詳細な説明】
【技術分野】
【０００１】  本考案は、イスの下部に取り付けてその空間にバッグや手荷物等の携帯品を収納することができる、設置・格納が自在のイス下収納棚に関するものである。
【背景技術】
【０００２】  屋内外を問わず集会時、参加者は座席は用意されていても手荷物の置き場が用意されていない場合、携帯する手荷物を膝の上や足元に置かざるを得なかった。【０００３】  この不便を解消しようと様々な先行出願がなされており、特開２００５−３３４４０７、実登３０４３３６８、特開平０９−１６８４５３、実開平０７−０２０８９８、特開平０６−２９６５３１等のように脚部左右両側部を横に繋ぐ支杆に収納棚を掛け止めする方式や、特開平０６−２３７８３９、特開２００５−３３４４０７、実開昭６１−１６７８５０のように支杆がなくても肘掛けを利用し又座面裏にビス止めして収納棚を吊るす方式などが考案されている。
【考案の開示】
【考案が解決しようとする課題】
【０００４】  集会等において携帯する手荷物置き場のなさに不便を感じることが多い。
例え用意されていたとしても自席と離れた場所での手荷物保管場所の設置はスペースの効率性、経済性、利便性に劣っており、取り違えて持ち帰られる畏れも十分あった。
出席者の手許での手荷物収納場所の確保が課題であった。【０００５】  現在、幅広く普及する積み重ね保管型スタッキングイスの仕様は、軽量化と数多くの積み重ねを可能とするため座面を薄くし、積み重ね部支持のための横支杆をなくして積み重ねた時の上下のイス座面間隙を限りなく小さくして積み上げ効率を向上させており又、横支杆をなくした分それを補強する意味で左右側面の前・後脚棒を床に沿って連結した所謂ループ脚イスとなっており、先行出願されている考案ではこのタイプのイスには対応しえず、本考案ではこれらループ脚イスにも取り付け可能な収納棚の設置と邪魔にならないその格納方法を課題とする。
【課題を解決するための手段】
【０００６】  後方覆い部上辺両端に取り付けられた二個の固定用保持具を、二本の座水平保持棒の後方二箇所に取り付け、自重で吊り下がることにより垂直面の後方覆い部を形成し、次いで棚部四方隅に連結された四個のスライド用保持具が各々四本の脚棒を挟み込むように取り付けられ、棚部らが自重で下広がりの脚棒を滑り降り四方に張り広げられることにより水平面の棚部を形成した。【０００７】  又、保管のため積み重ねる時、上段イスの棚部が下段イスの座面上部により押し上げられ、棚部とその四方隅に連結されたスライド用保持具が連動して前・後脚棒を滑り上がり、棚部とそれに連なった後方覆い部を自動的に上段イス座面裏と下段イス座面上部の間隙に格納した。【０００８】  自重で滑り降り吊り下がった時、三本の張り強度保持棒により、後方覆い部は座水平保持棒との間で上下に、又棚部は前・後脚棒との間で水平方向に引っ張り合い、後方覆い部と棚部の柔面の張り強度を出した。【０００９】  棚部と後方覆い部が上下イスの座面間隙に格納された際、三本の張り強度保持棒が下段イスの座面を傷付けないよう、後方に収まる二本の張り強度保持棒は後脚に密着させ、前方に収まる張り強度保持棒は、座った人の踵が当たらない様、連結体を介して前脚より足首分後方にくる位置を設定して、下段イス座面の前後に収まる構造とした。【００１０】  固定用保持具、及びスライド用保持具は開閉自在とし、ループ状で切れ目がないループ脚イスの脚棒への収納部の脱着を容易ならしめた。【００１１】  後方覆い部や棚部がその自重で吊り下がった時、収納した携帯品が後ろにこぼれたり又後ろから盗難に遭わないように座面後部裏直下より下垂直方向に座面幅いっぱいの後方覆い部での面を形成した。
【考案の効果】
【００１２】  本考案は、積み重ね保管型イスの中でも、現在幅広く普及している所謂ループ脚イスに、従来の考案では解決し得なかった設置、格納自在の携帯品収納棚を取り付け可能にすることで考案が解決しようとする課題を解決した。【００１３】  この考案は、使用のための取り出し時や終了保管時に、その動作に連動して収納棚が設置、格納され、そのための人手を煩わせない。【００１４】  固定用保持具、及びスライド用保持具は、脚棒等を挟み込んでの開閉が自在であり、且つ閉じた状態では両保持具の先端交叉部の両内側の凹凸部分が互いに咬合し合い、通常使用時に掛かる力では開くことはなく、この開閉自在構造によりこのイス下収納棚は製造時は勿論のこと、既に市中にて使用中の積み重ね保管型イス、なかんずく所謂ループ脚イスにも後付けや脱着が可能となった。【００１５】  このイス下収納棚は、携帯品等を出し入れするイス座面前部下開口部を幅方向で左右脚棒の間いっぱい、又高さ方向で座面下から踝の位置まで、且つ奥行き方向は前・後脚棒の間いっぱいから足首の幅を差し引いた距離までの大容量収納が可能であり、又張り強度保持棒の効果で棚部の重みによる垂れ下がりも阻止され、オーバーコートなどの嵩高いものや多量の携帯品の収納を可能とした。【００１６】  後方覆い部や棚部がその自重で吊り下がった時、座面後部裏直下より下垂直方向に座面幅いっぱいの後方覆い部の面を形成したため、収納した手荷物等が後方に転び落ちるのを防ぎ、又後ろからの盗難を防止した。
【考案を実施するための最良の形態】
【００１７】  本考案の上下に自在可動するイス下収納棚は、四本脚のイスであれば殆ど制約なく装着が可能であるが、積み重ね保管型イスの中でも特に、積み重ね支持の為の横支杆がなく且つ前・後脚棒が床面に沿って連なっていて切れ目のない所謂ループ脚イスには最もその持ち味を発揮し、その座水平保持棒や脚棒に開閉自在の保持具で収納部を装着でき製造時はもちろんのこと、既に市中で使用中の当該イスにも簡単に後付け、脱着ができる特性を有する。
【実施例】
【００１８】  添付図面１に従って実施例を説明する。１は収納部であり１ａの後方覆い部と１ｂの棚部とで構成されている。三つの１ｃは棚部への三本の２張り強度保持棒の固定部である。
後方覆い部上辺部１ｃに固定された２張り強度保持棒の両端には二個の５固定用保持具が連結されている。後方覆い部下辺部と棚部後方辺との連結部１ｃに固定された２張り強度保持棒の両端には二個の４スライド用保持具が連結され、棚部前方辺１ｃに固定された張り強度保持棒の両端には二本の３連結体を経て二個の４スライド用保持具が連結されている。【００１９】  添付図面２に従って実施例を説明する。１１はループ脚イスである。二本の７前脚棒の踝の高さに二個の９スライド降下ストッパーを固定し、その後二本の６座水平保持棒に二個の５固定用保持具を、二本の８後脚棒に二個の４スライド用保持具を、又二本の７前脚棒には９より上の位置に二個の４スライド保持具をそれぞれ挟み込むように装着し保持具に連結された１ａ後方覆い部と１ｂ棚部がその自重で７，８の前・後脚棒を滑り降りることにより１収納部が形成される。【００２０】  添付図面３に従って実施例を説明する。イス保管のため積み重ねる際、上段のイスを下段のイスの上に降ろしてゆくと、上段のイスの１０イス座面の下部にある１ｂ棚部が下段のイスの１０イス座面上部によって押し上げられ、そのまま降ろしてゆくと連結された四個の４スライド用保持具と連動して１ｂ棚部と１ａ後方覆い部も一緒に上下のイスの二つの１０イス座面の間隙に格納される。逆にイス取り出しのため、積み上げられた上段のイスを持ち上げると、二つの１０イス座面の間隙に格納されていた１ａ後方覆い部と１ｂ棚部はその自重で、連結された四個の４スライド用保持具と共に計四本の７，８前・後脚棒を滑り降り二本の６座水平保持棒から吊り下がり張り広げられることにより１収納部を完成させる。
【図面の簡単な説明】
【００２１】
【図１】イス下部に取り付ける収納部とそれを構成する後方覆い部、棚部及びそれに各部品を取り付けた状態を表す斜視図である。
【図２】イス下部空間に形成された収納部の状態を表す斜視図である。
【図３】保管する際、イスを積み重ねる時に上下のイスの座面の間隙に収納部が格納される状態を表した斜視図である。又逆に、使用時取り出しのためイスを持ち上げる際、収納部がその自重により下方に滑り降り吊り下がって、後方覆い部と棚部を形成する状態をも表す。
【図４】下段イスに上段イスを積み重ね、上下の座面の間隙に収納部が格納された状態を表した斜視図である。
【符号の説明】
【００２２】    １    収納部
１ａ  後方覆い部
１ｂ  棚部
１ｃ  張り強度保持棒固定部
２    張り強度保持棒
３    連結体
４    スライド用保持具
５    固定用保持具
６    座水平保持棒
７    前脚棒
８    後脚棒
９    スライド降下ストッパー
１０    イス座面
１１    ループ脚イス
【図１】
0003123495.tif 000003
【図２】
0003123495.tif 000004
【図３】
0003123495.tif 000005
【図４】
0003123495.tif 000006